(57)【特許請求の範囲】
【請求項１】
洗面台と、この洗面台の後部上方に配された、鏡を有する化粧キャビネットと、前記洗面台の側方に配された側部キャビネットとを有しており、前記側部キャビネットが下側キャビネットと上側キャビネットとを有する洗面化粧台ユニットにおいて、前記上側キャビネットは少なくとも１つの物品載置棚を有すると共に洗面台側に物品出し入れ口を有する合成樹脂製本体を有しており、前記合成樹脂製本体が、化粧キャビネットの側面に対向する、化粧キャビネットの側面の前後長さに等しい又はほぼ等しい対向壁と、この対向壁の前縁に連設された左右方向に渡る後部壁とを有している洗面化粧台ユニット。
【請求項２】
前記対向壁が化粧キャビネットの側面に密接させられている請求項１記載の洗面化粧台ユニット。
【発明の詳細な説明】
【０００１】
【発明の属する技術分野】
本発明は、洗面化粧台ユニットに関する。
【０００２】
【従来の技術】
従来、この種の洗面化粧台ユニットとして以下の如きものは知られている。即ち、洗面台と、この洗面台の後部上方に配された、鏡を有する化粧キャビネットと、前記洗面台の側方に配された側部キャビネットとを有しており、前記側部キャビネットが下側キャビネットと上側キャビネットとを有し、前記上側キャビネットが、底板が最下段の物品載置棚となされた、洗面台側に開口を有する木製のボックスからなるものは知られている。
【０００３】
【発明の目的】
本発明は、使い勝手がよく且つ掃除も行ないやすい洗面化粧台ユニットを提供することを目的とするものである。
【０００４】
【前記目的を達成するための手段】
本発明は前記目的を達成するために以下の如き手段を採用した。
（１）請求項１の発明は、洗面台と、この洗面台の後部上方に配された、鏡を有する化粧キャビネットと、前記洗面台の側方に配された側部キャビネットとを有しており、前記側部キャビネットが下側キャビネットと上側キャビネットとを有する洗面化粧台ユニットにおいて、前記上側キャビネットは少なくとも１つの物品載置棚を有すると共に洗面台側に物品出し入れ口を有する合成樹脂製本体を有しており、前記合成樹脂製本体が、化粧キャビネットの側面に対向する、化粧キャビネットの側面の前後長さに等しい又はほぼ等しい対向壁と、この対向壁の前縁に連設された左右方向に渡る後部壁とを有しているものである。
（２）請求項２の発明は、前記対向壁が化粧キャビネットの側面に密接させられている請求項１記載のものである。
【０００５】
【発明の効果】
本発明は前記した如き構成によって以下の如き効果を奏するものである。
（１）請求項１の発明によれば、使い勝手が悪く且つ掃除も行ないにくい、化粧キャビネットの側面に対向する合成樹脂製本体の空間が隠蔽されているので、意匠的にスッキリしたものとすることが出来る。
（２）請求項２の発明によれば、対向壁が化粧キャビネットの側面に密接させられていて、上側キャビネットと化粧キャビネットとの間に間隙があかないので、洗面化粧台ユニットに対面した際、上側キャビネットと化粧キャビネットとが一連に見え、意匠的にスッキリしたものとすることが出来る。
【０００６】
【発明の実施の形態】
以下に本発明の実施の形態を図面を参照しつつ説明する。
なお、この説明において、前とは図１紙面表側を、後とは同裏をいい、左とは図１左側を、右とは同図右側をいう。
【０００７】
洗面化粧台ユニット１は、洗面台２と、この洗面台２の後部上方に配された化粧キャビネット３と、前記洗面台２及び化粧キャビネット３の左側方に配された側部キャビネット４とを有している。
前記側部キャビネット４は、下側キャビネット５と上側キャビネット６とを有している。なお、下側キャビネット５と上側キャビネット６とは、一体ものでも別体を連結したものであってもよい。
【０００８】
前記洗面台２は、上面開放のキャビネット本体９と、このキャビネット本体９の上部に設けられた、水槽１０及びバックガ−ド１１を有する天板１２とを有している。
【０００９】
前記化粧キャビネット３は、所要個の物品載置棚１６（物品収納凹所の下部面）、後方に行くほど外方に拡がる傾斜側壁１７（図５及び図６参照）及び上部の照明器具収納凹所１８を有する合成樹脂製本体１５を有しており、この合成樹脂製本体１５に、鏡２０付きの扉２１、照明器具（図示略）及び照明器具カバー２２等を取り付けることによって構成されている。前記傾斜側壁１７は、合成樹脂製本体１５の成形完了後において、合成樹脂製本体１５を成形型から脱型しやすくするためのものである。
化粧キャビネット３は、具体的にはバックガ−ド１１の上に載せられて、部屋の側壁に固定されている。
【００１０】
前記側部キャビネット４の上側キャビネット６は、洗面台２側（右側）に開口を有する木製等の補強ボックス２６と、この補強ボックス２６に嵌め止められた洗面台２側に物品出し入れ口を有する合成樹脂製本体２７とを有している。
【００１１】
前記合成樹脂製本体２７は複数段の物品載置棚２９を有している。また、合成樹脂製本体２７の下部に、洗面台２の側部に当接する部３０ａと洗面台２の側部上方に突出する部３０ｂとを有する水飛散防止壁３０が設けられている。なお、水飛散防止壁３０は、バックガ−ド１１の側部を含む洗面台２の側部全体に渡るものでも、バックガード１１の側部を除く、洗面台２の側部に渡るものであってもよい。即ち、合成樹脂製本体２７の下部であっても、バックガ−ド１１に対向する部分には、水飛散防止壁３０を設けても、設けなくてもよい。ここでご注目戴きたいのは、水飛散防止壁３０が合成樹脂製であるので、所望の形状に成形するのが容易であり、且つ、水等によって腐らないことである。
なお、図２で明らかなごとく、最下段の物品載置棚２９は合成樹脂製本体２７の前部に位置し、最下段の物品載置棚２９の後部に、下から２番目の物品載置棚２９が、最下段の物品載置棚２９と段違い状に設けられ、これら最下段の物品載置棚２９及び下から２番目の物品載置棚２９の上方に下から３番目の物品載置棚２９が位置するようになされている。
【００１２】
図５及び図６に示すごとく、前記合成樹脂製本体２７の後部には、化粧キャビネット３の左側の傾斜側壁１７に対向・密接する、化粧キャビネット３の傾斜側壁１７の前後長さに等しい又はほぼ等しい対向壁３３と、この対向壁３３の前縁に連設された左右方向に渡る後部壁３４とを有している。
このような構成によって、使い勝手が悪く且つ掃除も行ないにくい、化粧キャビネット３の傾斜側壁１７に対向する合成樹脂製本体２７の空間３５が隠蔽されているので、意匠的にスッキリしたものとすることが出来、更に、対向壁３３が化粧キャビネット３の傾斜側壁１７に密接させられていて、上側キャビネット６と化粧キャビネット３との間に間隙があかないので、洗面化粧台ユニット１に対面した際、上側キャビネット６と化粧キャビネット３とが一連に見え、意匠的にスッキリしたものとすることが出来る。
なお、対向壁３３の下縁には、バックガード１１の側部に対向すると共に水飛散防止壁３０に連なる壁が連設されている。
【００１３】
【変形例等】
以下に変形例等について説明を加える。
（１）補強ボックス２６はなくてもよい。
（２）化粧キャビネット３の形状は任意である。
【図面の簡単な説明】
【図１】本発明の実施の形態を示す一部破砕の簡略正面図である。
【図２】図１のＩＩ−ＩＩ線断面図である。
【図３】図１のＡ部分の中間省略の拡大断面図である。
【図４】図３のＩＶ−ＩＶ線断面図である。
【図５】図３のＶ−Ｖ線断面図である。
【図６】図３のＶＩ−ＶＩ線断面図である。
【符号の説明】
１  洗面化粧台ユニット
２  洗面台
３  化粧キャビネット
４  側部キャビネット
５  下側キャビネット
６  上側キャビネット
１１  バックガ−ド
１２  天板
２０  鏡
２７  合成樹脂製本体
２９  物品載置棚
３３  対向壁
３４  後部壁
【図１】
0003634092.tif 000002
【図２】
0003634092.tif 000003
【図３】
0003634092.tif 000004
【図４】
0003634092.tif 000005
【図５】
0003634092.tif 000006
【図６】
0003634092.tif 000007